(57)【要約】【課題】本発明の目的は、従来の技術を更に発展させたものであり、簡単な構成であり、排熱効果を妨げることなく、複数のモジュールを様々に組み合わせて使用できるようにすることである。【解決手段】複数のモジュール１００，３００を有する画像形成装置内の熱を排熱する排熱ユニット２００であって、複数のモジュール１００，３００を支持することが可能な支持面２０２，２０３と前記支持面の周囲を囲む外壁面２０５〜２０８とからなる略箱型の形状をなし、前記支持面に前記モジュール内の熱を吸入するための吸入口２１２，２１３を設け、前記外壁面に前記吸入した熱を外部へ排熱するための排気口２１５を設けて、複数のモジュール１００，３００を着脱自在に組み合わせ、複数のモジュール１００，３００内の熱を外部へ排熱することを特徴とする。【選択図】図５
2007076019.tif 000002
【特許請求の範囲】
【請求項１】
複数のモジュールを有する画像形成装置内の熱を排熱する排熱ユニットであって、
前記複数のモジュールを支持することが可能な支持面と前記支持面の周囲を囲む外壁面とからなる略箱型の形状をなし、前記支持面に前記モジュール内の熱を吸入するための第１の開口部を設け、前記外壁面に前記吸入した熱を外部へ排熱するための第２の開口部を設けて、前記複数のモジュールを着脱自在に組み合わせ、前記複数のモジュール内の熱を外部へ排熱することを特徴とする排熱ユニット。
【請求項２】
前記排熱ユニット内に、前記モジュール内の熱を前記第１の開口部から吸入して前記第２の開口部から排出するためのファンを設けたことを特徴とする請求項１に記載の排熱ユニット。
【請求項３】
前記第１の開口部、前記第２の開口部の開口の位置、大きさを調節するための調節手段を有することを特徴とする請求項１又は２に記載の排熱ユニット。
【請求項４】
前記排熱ユニットは、前記第２の開口部を設けた外壁面を有する略箱型の形状の複数の基体ユニットを互いに接合することによってなり、前記複数の基体ユニットのうち、前記モジュールを支持する基体ユニットは前記第１の開口部を設けた支持面を有することを特徴とする請求項１乃至３のいずれか１項に記載の排熱ユニット。
【請求項５】
前記排熱ユニット内に、前記複数のモジュールを制御する制御手段を設けたことを特徴とする請求項１乃至４のいずれか１項に記載の排熱ユニット。
【請求項６】
前記制御手段は前記複数のモジュールをそれぞれ制御する複数の制御手段からなり、前記排熱ユニットを成す前記複数の基体ユニットのうち、制御対象となるモジュールを支持する基体ユニット内に前記制御対象となるモジュールを制御する制御手段を設けたことを特徴とする請求項５に記載の排熱ユニット。
【請求項７】
前記外壁面の全域に、前記第２の開口部としてルーバー状の開口部が形成されていることを特徴とする請求項１乃至６のいずれか１項に記載の排熱ユニット。
【請求項８】
複数のモジュールと、請求項１乃至７のいずれか１項に記載の排熱ユニットと、を着脱自在に組み合わせてなることを特徴とする画像形成装置。
【請求項９】
前記複数のモジュールとして、原稿の画像を読み取る読取ユニットと、シートに画像を記録する記録ユニットを有することを特徴とする請求項８に記載の画像形成装置。
【発明の詳細な説明】
【技術分野】
【０００１】
本発明は、原稿の画像を読み取る読取ユニットやシートに画像を記録する記録ユニットなどの複数のモジュールを有する画像形成装置に関し、特に画像形成装置内の熱を排熱する排熱ユニットに関する。
【背景技術】
【０００２】
近年では、画像形成装置として、読取ユニットで読み取った原稿の画像情報を電気信号に変換して記録ユニットに通信し、記録ユニットで前記電気信号に基づいてシートに画像を記録するデジタル信号方式の画像形成装置が多く用いられている。
【０００３】
このようなデジタル信号方式の画像形成装置にあっては、前記読取ユニットと前記記録ユニットとを、これらを制御する制御ユニットを介して電気的に接続すれば良い。このため、読取ユニットと記録ユニットとの位置関係は制約がなくなり、前記ユニットを自由に配置することが可能になる。
【０００４】
そこで、画像形成装置の読取ユニット、記録ユニット、操作ユニットなど複数のユニットを単独で交換したり、組み合わせを変えたりできる画像形成装置が提案されている（特許文献１参照）。
【０００５】
上記画像形成装置では、読取ユニット、操作ユニット、記録ユニットをほぼ鉛直方向に重ね合わせ、各ユニットを単独で交換することが可能な構成となっている。また、操作ユニットには排熱手段が設けられ、該操作ユニットが装置内部の熱を装置外に排出する機能を兼ねた構成となっている。
【０００６】
【特許文献１】特開２００２-１７１３７２号公報
【発明の開示】
【発明が解決しようとする課題】
【０００７】
しかしながら、上記従来の画像形成装置では、各ユニットの単独交換はできるものの、読取ユニット、操作ユニット、記録ユニットをほぼ鉛直方向に重ね合わせるだけで、各ユニットの組み合わせのバリエーションが乏しい。更に、操作ユニット内に排熱手段を設けているため、複雑なユニットの構成になっていた。更に排熱手段による排熱効果を妨げないように各ユニットを組み合わせる場合、各ユニットの組み合わせ方に制約が多くなっていた。
【０００８】
そこで、本発明の目的は、上記従来の技術を更に発展させたものであり、簡単な構成であり、排熱効果を妨げることなく、複数のモジュールを様々に組み合わせて使用できるようにすることである。
【課題を解決するための手段】
【０００９】
上記目的を達成するための本発明の代表的な構成は、複数のモジュールを有する画像形成装置内の熱を排熱する排熱ユニットであって、前記複数のモジュールを支持することが可能な支持面と前記支持面の周囲を囲む外壁面とからなる略箱型の形状をなし、前記支持面に前記モジュール内の熱を吸入するための第１の開口部を設け、前記外壁面に前記吸入した熱を外部へ排熱するための第２の開口部を設けて、前記複数のモジュールを着脱自在に組み合わせ、前記複数のモジュール内の熱を外部へ排熱することを特徴とする。
【発明の効果】
【００１０】
上記本発明によれば、複数のモジュール内の熱を外部に排熱する機能をユニット化したため、簡単な構成であり、排熱効果を妨げることなく、複数のモジュールを様々に組み合わせて使用できる。
【００１１】
例えば、複数のモジュールと組み合わせて画像形成装置を構成する場合、支持面が水平になるように排熱ユニットを配置して、この排熱ユニットの上下に複数のモジュールをそれぞれ取り付けることが可能である。また、支持面が垂直になるように排熱ユニットを配置しても、その垂直な支持面に複数のモジュールを取り付けることが可能である。このように前記複数のモジュールと前記排熱ユニットとを様々に組み合わせて使用でき、装置全体の拡張性、発展性が更に増す。
【００１２】
また、排熱ユニットは、モジュールを支持する支持面の第１の開口部から熱が取り入れられ、前記支持面の周囲を囲む外壁面の第２の開口部から排熱がなされる。このため、排熱ユニットと複数のモジュールとをどのように組み合わせても、排熱効果が妨げられることがない。
【発明を実施するための最良の形態】
【００１３】
以下、図面を参照して、本発明の好適な実施の形態を例示的に詳しく説明する。
【００１４】
図１は本発明を実施した画像形成装置の一形態を示す外観斜視図、図２は画像形成装置の動作を制御する制御ユニットの構成を示したブロック図、図３は前記画像形成装置の内部構成を示した模式断面図である。図４は前記画像形成装置の展開斜視図である。図５は排熱ユニットの斜視図である。図６は排熱ユニットの構成図である。
【００１５】
図１及び図４に示すように、本実施形態に係る画像形成装置１は、複数のモジュール１００，３００と、画像形成装置内の熱を排熱する排熱ユニット２００を有し、これらを着脱自在に組み合わせてなる。ここでは複数のモジュールとして、原稿の画像を読み取る読取ユニット１００と、シートに画像を記録する記録ユニット３００を例示している。以下、各モジュール１００，３００及び排熱ユニット２００について説明する。
【００１６】
読取ユニット１００では、原稿台ガラス１０１上に置かれた原稿の読取面を照明手段によって照明する。この照明手段によって照明された原稿の読取面からの反射光は、複数の折り返しミラーを介してラインセンサー１０２に導かれる。照明手段と複数の折り返しミラーのうち少なくとも１つの折り返しミラーは、原稿台ガラス１０１の原稿載直面に沿って副走査方向（矢印Ａ方向）に移動しながら前記反射光をラインセンサー１０２へ導く。ラインセンサー１０２は、前記反射光を光電変換する複数の受光素子を副走査方向と直交する主走査方向に一直線上に並べたものである。前記ラインセンサー１０２の受光素子が光電変換を連続的に繰り返すことによって、原稿台ガラス１０１上の原稿の読取面を二次元的に走査し、光学的な画像情報を電気的な画像信号として出力する。なお、読取ユニット１００は、外部から読取ユニット１００を電気的に制御するためのインターフェイスを備えている。
【００１７】
記録ユニット３００は、電子写真方式のレーザービームプリンタを一体的に構成したものであり、画像形成部として、レーザービームスキャナー３０１と、感光体ドラムを有する着脱可能なプロセスカートリッジ３０２を備えている。
【００１８】
画像形成部では、まず帯電部材３１４により像担持体としての感光体ドラム３１５の表面を一様に帯電させる。この感光体ドラム表面をレーザービームスキャナー３０１で走査し、画像情報に応じて露光することにより、感光体ドラム３１５上に静電潜像が形成される。そして、現像剤としてのトナーを現像剤担持体としての現像スリーブ３１６により感光体ドラム３１５上の静電潜像に付着させると、感光体ドラム３１５上にトナー像が形成される。
【００１９】
このトナー像が形成された感光体ドラム３１５と転写ローラ３１７との間に、給送部３０３から給送されたシートが送り込まれる。そして、転写ローラ３１７により、感光体ドラム３１５上のトナー像がシートに転写される。転写後、感光体ドラム３０５上に残留したトナーは、クリーニング部材３１６によって除去される。
【００２０】
前記トナー像が転写されたシートは、定着器３０５へ向かって搬送される。定着器３０５ではシート上に転写されたトナーに、ヒーターを内蔵した定着ローラ３１８と加圧ローラ３１９との間で熱と圧力を加えることにより、トナーをシートに定着させる。
【００２１】
なお、記録ユニット３００は、外部から記録ユニット３００を電気的に制御するためのインターフェイスを備えている。
【００２２】
次に図４〜図６を用いて排熱ユニット２００について詳しく説明する。
【００２３】
排熱ユニット２００は、図５に示すように、読取ユニット１００及び記録ユニット３００を支持することが可能な支持面２０２，２０３と、前記支持面２０２，２０３の周囲を囲む外壁面２０５，２０６，２０７，２０８とからなる略箱型の形状をしている。前記支持面２０２には、前記記録ユニット３００内で発生する熱を吸入するための第１の開口部としての吸入口２１２，２１３が設けられている。前記外壁面２０５，２０６，２０７，２０８の全域には、前記吸入した熱を外部へ排熱するための第２の開口部としての排気口２１５が設けられている。この排気口２１５は、各壁面２０５，２０６，２０７，２０８に無数の穴が設けられたルーバー状の開口部であり、排熱ユニット２００内の空気を外へ流す役割を果たしている。
【００２４】
図６に示すように、排熱ユニット２００内にはファン２１４が設けられている。ファン２１４は、記録ユニット３００内の熱を前記吸入口２１２，２１３から吸入して前記排気口２１５から排出する空気の流れを作るものである。
【００２５】
排熱ユニット２００は、図５に示すように、前記吸入口２１２，２１３の開口の位置、大きさを調節するための調節手段としてのスライド部材２１７，２１８を有している。このスライド部材２１７，２１８を矢印方向に移動させることで、各吸入口２１２，２１３の開口の位置や大きさを調節することができる。このスライド部材２１７、２１８で吸入口の開口の大きさを調節して、それぞれの吸気量のバランスをとることができる。
【００２６】
また排熱ユニット２００は、前記排気口２１５の開口の位置、大きさを調節するための調節手段としての被覆部材２１６を有している。図６に例示する形態の排熱ユニット２００では、ファン２１４を設けた位置に相対する壁面２０６の一部のみを排気口２１５とするために、それ以外の部分の壁面２０５，２０６，２０７を被覆部材２１６で覆っている。これにより、前記排気口２１５以外の壁面２０５，２０６，２０７の排気口からは空気が流れ出ないようにしている。
【００２７】
なお、図６に例示する排熱ユニット２００は、前記各吸入口２１２，２１３と前記ファン２１４が位置する排気口２１５との間にガイド部材２１０ａ，２１０ｂを設けて、各吸入口２１２，２１３から排気口２１５に向けて空気を案内する排熱ダクト２１０を形成している。これにより、吸入口２１２，２１３から排気口２１５への空気の流れがよりスムーズになる。
【００２８】
更に排熱ユニット２００は、図６に示すように、画像形成装置の動作を制御する制御手段としての制御ユニット２０１を内蔵している。この排熱ユニット２００内の制御ユニット２０１は、各ユニット１００，３００に内蔵されているインターフェイスを介して読取ユニット１００と記録ユニット３００に電気的に接続される。制御ユニット２０１は、図２に示すように、装置全体を制御するメイン制御部２０１ａを備えている。更に制御ユニット２０１は、読取ユニット１００を制御する読取制御部２０１ｂ、記録ユニット３００を制御する記録制御部２０１ｃ、外部と通信を行う通信部２０１ｄを備え、これらはメイン制御部２０１ａを経由するように接続されている。従って、読取ユニット１００に設けた操作部１０７を操作することにより、その電気信号が排熱ユニット２００内の制御ユニット２０１へ伝達され、読取ユニット１００及び記録ユニット３００の動作が制御される。また、通信部２０１ｄを介して、電気信号を外部から入力し、又は電気信号を外部へ出力することも可能である。
【００２９】
前記制御ユニット２０１は、排熱ユニット２００内の排熱ダクト２１０部と仕切り板２１１によって仕切られている。これにより、排熱ダクト２１０部の熱が制御ユニット２０１に悪影響を及ぼすのを防止している。なお、仕切り板２１１で仕切られた制御ユニット２０１部の外壁面２０５，２０７，２０８は開放されている。よって制御ユニット２０１から発生する熱は、外壁面２０５，２０７，２０８に設けられた無数の穴からなる排気口２１５を通して装置外へ放熱される。
【００３０】
図１及び図４に例示する形態の画像形成装置１は、前述した排熱ユニット２００を支持面が水平になるように配置し、その上側の支持面２０３で読取ユニット１００を支持し、下側の支持面２０２で記録ユニット３００を支持して、画像形成装置１をなしている。前記読取ユニット１００、排熱ダクト２１０部と制御ユニット２０１が一体となった排熱ユニット２００、記録ユニット３００は、後述のような位置決め固定手段により組み合わされ、互いに着脱可能となっている。
【００３１】
すなわち、排熱ユニット２００の一方の支持面２０３の端部付近には、読取ユニット１００のダボａと嵌合する嵌合穴ｃが設けられている。同様に、排熱ユニット２００の他方の支持面２０２の端部付近には、記録ユニット３００のダボｂと嵌合する嵌合穴ｃが設けられている。この排熱ユニット２００の各支持面２０２，２０３の嵌合穴ｃと、読取ユニット１００のダボａ、記録ユニット２００のダボｂと嵌合させることで、位置決めをして組み立てられるようできている。なお、組み付けのためのビス等は図示せず省略している。
【００３２】
上述したように、複数のモジュール１００，３００内の熱を外部に排熱する機能を排熱ユニット２００としてユニット化したため、簡単な構成であり、排熱効果を妨げることなく、複数のモジュール１００，３００を様々に組み合わせて使用できる。
【００３３】
また、排熱ユニット２００は、記録ユニット３００を支持する支持面２０２の吸入口２１２，２１３から熱が取り入れられ、前記支持面２０２の周囲を囲む外壁面２０５，２０６，２０７，２０８の排気口２１５から排熱がなされる。このため、排熱ユニット２００と複数のモジュール１００，３００とをどのように組み合わせても、排熱効果が妨げられることがない。
【００３４】
なお、画像形成装置の組み合わせの形態は、前述した形態に限定されるものではない。以下、画像形成装置の組み合わせのその他の形態を例示する。なお、以下の説明では、前述した形態と同等の機能を有する部材には同一符号を付している。
【００３５】
図１〜図４では、支持面が水平になるように排熱ユニットを配置した形態を例示したが、前述した排熱ユニットは支持面が垂直になるように配置しても用いることができる。図７及び図８を用いて、支持面が垂直になるように排熱ユニットを配置して複数のモジュールと組み合わせた画像形成装置の一形態について説明する。なお、図７及び図８に例示する形態では、複数のモジュールとしての読取ユニット１００と記録ユニット３００が図１〜図４で例示した形状と異なる形状を例示している。
【００３６】
図７及び図８に例示する形態の画像形成装置１は、前述した排熱ユニット２００を支持面が垂直になるように配置し、一方の支持面２０２の吸入口２１３側に読取ユニット１００を、吸入口２１２側に記録ユニット３００を支持して、画像形成装置１をなしている。なお、図において、４０１はタッチパネル方式の操作部である。また、排熱ユニット２００は図５及び図６を用いて説明したものと同様の構成となっている。読取ユニット１００と記録ユニット３００は図１に示すものとは形状が異なるものの、その動作はほぼ同様であるので、ここでは詳しい説明は省略する。
【００３７】
図７に例示する画像形成装置１内での排熱のためのエアフローは図８に示す通りである。すなわち、排熱ユニット２００の吸入口２１３は読取ユニット１００から熱を導き、吸入口２１２は記録ユニット３００から熱を導き、この導かれた熱はファン２１４を通って排気口２１５から装置外へ排熱される。また、図示していないが、排熱ユニット２００に一体に設けられた制御ユニットの熱は、前述した形態と同様に外壁面に設けられた無数の穴からなる排気口から放熱される。
【００３８】
また、前述したように吸入口２１２，２１３は、その位置や大きさをスライド部材２１７，２１８で調節できるようになっているため、各読取ユニット、記録ユニットにあわせて、その位置や大きさを適宜セットすることができる。
【００３９】
なお、読取ユニット、記録ユニットの仕様の差に相当する制御機能は各読取ユニット、記録ユニットに持たせても、その他の制御機能を排熱ユニット内の制御ユニットに持たせることで、読取ユニット、記録ユニットの制御部をコンパクトにすることができる。
【００４０】
上述したように、排熱ユニットを水平又は垂直にしても、また形状の異なるモジュールを用いても、これらを様々に組み合わせて使用でき、装置全体の拡張性、発展性が増す。また、前記排熱ユニットは、支持面の周囲を囲む外壁面に設けた排気口から排熱がなされるため、支持したモジュールによって排熱効果が妨げられることがない。また、排熱ユニットの設置向きによって排熱効果が妨げられることもない。
【００４１】
また前述した形態では、排熱ユニットを単体の構成としたが、これに限定されるものではない。例えば、図９及び図１０に示すように、前記排熱ユニット２００を、略同一の箱型の形状をなす複数の基体ユニット２００Ａ，２００Ｂ，２００Ｃを互いに接合することによってなる構成としても良い。
【００４２】
図１０に示すように、前記各基体ユニット２００Ａ，２００Ｂ，２００Ｃは、排気口２１５を設けた外壁面２０５，２０６Ａ〜２０６Ｃ，２０７，２０８Ａ〜２０８Ｃを有している。更に前記基体ユニット２００Ａ，２００Ｂ，２００Ｃのうち、読取ユニット１００と記録ユニット３００を支持する基体ユニット２００Ａ，２００Ｃは、それぞれ前記吸入口２１２，２１３を設けた支持面２０２Ａ，２０２Ｃを有している。
【００４３】
この構成によれば、例えば図１に例示する形態の画像形成装置にあっては読取ユニット、記録ユニットの横幅に合わせて基体ユニット２００Ｂを長さの異なったものに代えることで調整可能である。また図７に例示する形態の画像形成装置にあっても記録ユニットのシート排出空間（読取ユニット下面と記録ユニット上面の間の空間）や装置全体の高さに合わせて基体ユニット２００Ｂを長さの異なったものに代えることで調整可能である。
【００４４】
更に、上記構成の場合、図１０に示すように、制御ユニット２０１を各ユニット１００，３００をそれぞれ制御する複数の制御部２０１ａ，２０１ｂに分割し、各ユニット１００，３００を支持する基体ユニット２００Ａ，２００Ｃにそれぞれ内蔵しても良い。この場合、記録ユニット３００を支持する基体ユニット２００Ｃ内に記録制御部２０１ｃを設け、読取ユニット１００を支持する基体ユニット２００Ａに読取制御部２０１ｂやメイン制御部２０１ａなどを統合した主制御部２０１ｅを設けることが好ましい。なぜならば、このように制御部とその制御対象モジュールを近接させることにより、制御部と制御対象モジュールを接続する通信路がノイズの影響を受けにくくなるからである。
【００４５】
なお、複数の基体ユニットに分割配置した制御部２０１ｃ，２０１ｅ同士は、図示せぬケーブルなどの接続手段により基体ユニット２００Ａ，２００Ｂ，２００Ｃ中を通して接続されている。
【００４６】
また、図１１に示すように、図１で例示した形態の画像形成装置に新たな他のモジュール（図９ではタッチパネル操作部を例示）を追加して組み合わせることも可能である。この場合、図１で例示した排熱ユニット２００を前述の基体ユニットとし、この基体ユニット２００に前記タッチパネル操作部４０１を追加接続するための新たな基体ユニット２００Ｄを接合する。
【００４７】
上述したように、前記排熱ユニット自体を、複数の基体ユニットを互いに接続してなる組み合わせ体とすることで、モジュールの形状の違いに合わせて前記基体ユニットを組み替えて長さ等を変更できる。これにより、画像形成装置の組み合わせや装置構成のバリエーションを増やすことができ、装置全体の拡張性、発展性が更に増す。更に、顧客ニーズにきめ細かく応じることができる。
【００４８】
また前記排熱ユニットが装置外装の一部を形作ることにより、これがワンポイントとなって様々な組み合わせの画像形成装置のデザイン的な統一感を生むことができる。
【００４９】
なお、前述した形態では、モジュールとして、読取ユニット、記録ユニット、タッチパネル操作部を例示したが、これに限定されるものではない。例えば、画像情報入力機器（フラッシュメモリ、ＤＶＤ等）やシステム制御機器等の他のモジュールであっても良い。
【００５０】
また排熱ユニットの支持面に設ける第１の開口部を、一方の支持面にのみ設ける構成を例示したが、これに限定されるものではない。例えば、両方の支持面に第１の開口部を設けても良い。また、支持面に設ける第１の開口部の数も、前述した個数に限定されるものではなく、必要に応じて適宜設ければよい。またファンの数や配置についても前述した形態に限定されるものではない。
【００５１】
また前述した形態では、被覆部材（調節手段）で排気口（第２の開口部）の位置、大きさを調節した形態を例示したが、これに限定されるものではない。排気口の位置、大きさは必要に応じて適宜設定すれば良い。また、ファンや調整手段を用いずに装置内の熱を放熱する構成としても良い。
【００５２】
上述の実施形態で説明した排熱ユニットはシート上に画像を形成する画像形成装置のみならず、他の電子機器を同一のシステムに組み込む場合に用いてもよい。
【図面の簡単な説明】
【００５３】
【図１】本発明を実施した画像形成装置の一形態を示す外観斜視図
【図２】図１の画像形成装置の制御ユニットのブロック図
【図３】図１の画像形成装置の概略断面図
【図４】図１の画像形成装置を読取ユニット、排熱ユニット、記録ユニットに分けた斜視図
【図５】排熱ユニットの一形態を示す斜視図
【図６】図５の排熱ユニットの模式断面図
【図７】本発明を実施した画像形成装置の他の形態を示す外観斜視図
【図８】図７の画像形成装置の排熱の流れを示す模式断面図
【図９】排熱ユニットの他の形態を示す斜視図
【図１０】図９の排熱ユニットの模式断面図
【図１１】本発明を実施した画像形成装置の他の形態を示す外観斜視図
【符号の説明】
【００５４】
１     …画像形成装置
１００ …読取ユニット（モジュール）
２００ …排熱ユニット
２００Ａ，２００Ｂ，２００Ｃ …基体ユニット
２０１ …制御ユニット（制御手段）
２０１ａ …メイン制御部
２０１ｂ …読取制御部
２０１ｃ …記録制御部
２０１ｄ …通信部
２０１ｅ …主制御部
２０２（２０２Ａ，２０２Ｃ），２０３ …支持面
２０５，２０６（２０６Ａ〜２０６Ｃ），２０７，２０８（２０８Ａ〜２０８Ｃ） …外壁面
２１０ …排熱ダクト
２１０ａ，２１０ｂ …ガイド部材
２１１ …仕切り板
２１２，２１３ …吸入口（第１の開口部）
２１４ …ファン
２１５ …排気口（第２の開口部）
２１６ …被覆部材（調節手段）
２１７，２１８ …スライド部材（調節手段）
３００ …記録ユニット（モジュール）
４０１ …タッチパネル操作部（モジュール）
【図１】
2007076019.tif 000003
【図２】
2007076019.tif 000004
【図３】
2007076019.tif 000005
【図４】
2007076019.tif 000006
【図５】
2007076019.tif 000007
【図６】
2007076019.tif 000008
【図７】
2007076019.tif 000009
【図８】
2007076019.tif 000010
【図９】
2007076019.tif 000011
【図１０】
2007076019.tif 000012
【図１１】
2007076019.tif 000013